【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
本体ガイドワイヤ(２０３)、前記本体ガイドワイヤ(２０３)に移動可能にスリービングされたガイドコア(２０５)および被膜を解放可能に収納するガイドシース(２０６)を含み、前記ガイドシース(２０６)が前記ガイドコア(２０５)の外部に移動可能にスリービングされ、前記ガイドシース(２０６)が前記被膜を解放した状態で、前記被膜の軸方向位置を調整する調整機構を備え、当該調整機構が前記被膜に解放可能に接続されており、
前記被膜が円筒状構造に形成された本体部（２０１）と当該本体部（２０１）に接続された分枝部（２０２）とを含み、
分枝部（２０２）を貫通する分枝ガイドワイヤ（２０４）をさらに備え、前記調整機構が当該分枝ガイドワイヤ（２０４）に設置されたストッパノット（２１１）を含み、前記分枝部（２０２）に当該ストッパノット（２１１）の前方に位置するストッパホール（２１０）が設置され、前記ストッパノット（２１１）のサイズが前記ストッパホール（２１０）のサイズより大きいことを特徴とする被膜植え込みシステム。
【請求項２】
前記調整機構が前記本体部(２０１)の前端に解放可能に接続された前端制御ワイヤ（２０７）およびステアリング伝動構造(２０９)を含み、前記前端制御ワイヤ(２０７)が前記ステアリング伝動構造(２０９)により後方にステアリングして伸びており、前記ガイドシース（２０６）と前記ガイドコア（２０５）が後方に伸び、前記ステアリング伝動構造（２０９）が前記ガイドコア（２０５）に設置され、前記前端制御ワイヤ（２０７）が前記本体部（２０１）の前端から引き出されて前記ステアリング伝動機構（２０９）によりステアリングされて前記ガイドコア（２０５）を貫通して後方に伸びている請求項１に記載の被膜植え込みシステム。
【請求項３】
前記被膜が円筒状構造に形成された本体部（２０１）を含み、前記調整機構が前記本体部（２０１）の前端に解放可能に接続された前端制御ワイヤ（２０７）を含み、且つ当該前端制御ワイヤ（２０７）が前記ガイドコア（２０５）に接続されている請求項１に記載の被膜植え込みシステム。
【請求項４】
前記調整機構は、前記本体部（２０１）の後端に解放可能に接続される後端制御ワイヤ（２０８）をさらに含み、当該後端制御ワイヤ（２０８）が後方に伸びている請求項１に記載の被膜植え込みシステム。
【請求項５】
前記ストッパホール（２１０）は、接続線を介して前記分枝部（２０２）に接続されたストッパリングから形成され、前記ストッパリングが前記分枝部（２０２）の前端縁と間隔をあけて設置されている請求項１に記載の被膜植え込みシステム。
【請求項６】
前記接続線は、複数本であって円周方向に沿って均一に前記分枝部（２０２）に解放可能に接続されている請求項５に記載の被膜植え込みシステム。
【請求項７】
前記ストッパノート（２１１）は、前記分枝ガイドワイヤ（２０４）に解放可能に設置されている請求項１に記載の被膜植え込みシステム。
【請求項８】
請求項１〜７のいずれか１項に記載の被膜植え込みシステムおよびステントを解放可能に収納して輸送するステント輸送装置（２１４）を含む被膜とステントをそれぞれ植え込む植え込みシステム。
【請求項９】
前記ステント輸送装置（２１４）が前記ガイドコア（２０５）の外部にスリービングされ、且つ前記植え込みシステムは、前記ガイドコア（２０５）を前記ガイドシース（２０６）に対して固定するガイドコアロック部材（２１３）をさらに含み、前記ガイドコアロック部材（２１３）が前記ガイドコア（２０５）に固定して接続され且つ第一のロック部（２１３１）と第二のロック部（２１３２）を有し、前記第一のロック部（２１３１）と前記第二のロック部（２１３２）がそれぞれガイドコア（２０５）をロック解除可能にロックし且つ前記ガイドコア（２０５）の軸方向に沿って間隔をあけて設置されている請求項８に記載の植え込みシステム。
【請求項１０】
前記ガイドコアロック部材（２１３）は、第一のロック位置と第二のロック位置を含み、前記第一のロック位置に、前記第一のロック部（２１３１）がロックを解除し、当該前記第一のロック部（２１３１）の前方に位置する前記第二のロック部（２１３２）が前記ガイドコア（２０５）をロックし、前記ガイドコア（２０５）にスリービングされた前記ステント輸送装置（２１４）が前記ガイドコア（２０５）に沿って前記第一のロック部（２１３１）と第二のロック部（２１３２）の間にスライドし、前記第二のロック位置に、前記第一のロック部（２１３１）が前記ガイドコア（２０５）をロックし、前記第二のロック部（２１３２）がロックを解除し、前記ステント輸送装置が前記第二のロック部（２１３２）により前方へ移動する請求項９に記載の植え込みシステム。
【請求項１１】
前記ステント輸送装置は、前記ガイドコア（２０５）の外部にスリービングされ、前記ガイドコア（２０５）は、前記本体ガイドワイヤ（２０３）が貫通するためのガイドワイヤホール（２０５１）および当該ガイドワイヤホール（２０５１）の周りに設置された制御ワイヤホール（２０５２）を含み、当該制御ワイヤホール（２０５２）が前記ガイドコア（２０５）の側壁に形成されて前記ガイドコア（２０５）と同じ方向に伸び、且つ前記ガイドコア（２０５）の外壁が前記ステント輸送装置の成形面に接続された非円形断面構造を有し、当該非円形断面構造が前記制御ワイヤホール（２０５２）を形成する突出部を有する請求項８に記載の植え込みシステム。
【請求項１２】
前記植え込みシステムは、大動脈弓血管の３本の分枝血管に前記被膜とステントを植え込むことに用いられる請求項８に記載の植え込みシステム。
【請求項１３】
順次行われる被膜植え込みステップとステント植え込みステップを含み、
前記植え込みステップにおいて、まず本体ガイドワイヤ（２０３）を血管に挿入し、
前記本体ガイドワイヤ（２０３）に沿って当該本体ガイドワイヤ（２０３）の内部に移動可能にスリービングされたガイドコア（２０５）を血管に植え込み、
次に被膜が解放可能に収納されたガイドシース（２０６）を前記ガイドコア（２０５）の外部に移動可能にスリービングして当該ガイドコア（２０５）に沿って前記血管に植え込み、
ガイドシース（２０６）が前記被膜を解放した後に、調整機構により被膜の軸方向位置を調整し、且つ前記被膜調整が終了した後に、前記調整機構と前記被膜の接続を解放し、
前記被膜植え込みステップにおいて、前記血管の分枝血管に分枝ガイドワイヤ（２０４）を挿入し、前記被膜の分枝部（２０２）を前記分枝ガイドワイヤ（２０４）に移動可能にスリービングし、前記被膜の分枝部の軸方向位置を調整する場合、前記分枝ガイドワイヤ（２０４）を操作することで前記分枝部（２０２）を前方へ移動させることをさらに含む、ステントと被膜をそれぞれ植え込む植え込み方法。
【請求項１４】
前記被膜の本体部（２０１）の軸方向位置を調整する場合、前記本体部の前端を接続し且つ後方にステアリングして体外に伸びる前端制御ワイヤ（２０７）により前記本体部を前方へ移動させ、かつ前記本体部（２０１）の後端を接続して後方へ体外に伸びる後端制御ワイヤにより前記本体部を後方へ移動させる請求項１３に記載の植え込み方法。
【請求項１５】
前記ステント植え込みステップにおいて、ステントをステント輸送装置（２１４）に解放可能に収納し、当該ステント輸送装置（２１４）を前記ガイドコア（２０５）に移動可能にスリービングして当該ガイドコア（２０５）に沿って前記被膜に移動させ、かつ前記ステント輸送装置（２１４）が前記ガイドコア（２０５）にスリービングされ且つそれに沿って移動する過程において、前記ガイドコア（２０５）は、常にガイドシース（２０６）に対してロックされる請求項１３に記載の植え込み方法。